(57)【要約】【課題】複数のコマンドに対応するために複数の操作ボタンを備えなくても、それぞれのコマンドに応じて他の通信装置から送信されたデータを受信することが可能な通信装置を提供する。【解決手段】通信システムが、コマンドの受信が可能な近距離通信部２１３と、近距離通信部２１３を介して受信したコマンドに応じた処理を実行する処理部２０３とを備えた撮像装置２００と、コマンドの送信が可能な近距離通信部１３０と、撮像装置２００との近距離通信の確立後に、撮像装置２００との位置関係に応じたコマンドを近距離通信部１３０を介して撮像装置２００に送信する送受信部１４０とを備えたクレードル１００と、を備える。【選択図】図１
2011044856.tif 000002
【特許請求の範囲】
【請求項１】
コマンドの受信が可能な近距離通信部と、前記近距離通信部を介して受信した前記コマンドに応じた処理を実行する処理部とを備えた第１の通信装置と、
前記コマンドの送信が可能な近距離通信部と、前記第１の通信装置との近距離通信の確立後に、前記第１の通信装置との位置関係に応じた前記コマンドを前記近距離通信部を介して第１の通信装置に送信する送信部とを備えた第２の通信装置と、
を備えることを特徴とする通信システム。
【請求項２】
コマンドに応じた処理を実行する他の通信装置に対し、前記コマンドの送信が可能な近距離通信部と、
前記他の通信装置との前記近距離通信の確立後に、前記他の通信装置との位置関係に応じた前記コマンドを前記近距離通信部を介して前記他の通信装置に送信する送信部と、
を備えることを特徴とする通信装置。
【請求項３】
請求項２に記載の通信装置において、
前記他の通信装置との前記位置関係を検出する位置検出部と、
前記位置検出部により検出した前記位置関係に応じた前記コマンドを出力するコマンド出力部と、
をさらに備えることを特徴とする通信装置。
【請求項４】
請求項３に記載の通信装置において、
前記位置検出部は、前記他の通信装置との接触による圧力若しくは静電容量の変化、又は前記他の通信装置に投射された光を受光し、当該受光された光に応じた信号に基づいて前記位置関係を検出することを特徴とする通信装置。
【請求項５】
請求項４に記載の通信装置において、
前記位置検出部は、前記位置関係の検出に際して、前記近距離通信が確立したことを示す情報を表示することを特徴とする通信装置。
【請求項６】
請求項３に記載の通信装置において、
前記位置検出部は、前記他の通信装置が有するセンサが検出した当該他の通信装置の回転又は位置変位に応じた信号を受信し、当該信号に基づいて前記位置関係を検出することを特徴とする通信装置。
【請求項７】
他の通信装置と自通信装置との位置関係に応じたコマンドを前記他の通信装置から受信する近距離通信部と、
前記近距離通信部により受信した前記コマンドに応じた処理を実行する処理部と、
を備えることを特徴とする通信装置。
【請求項８】
請求項７に記載の通信装置において、
前記近距離通信が確立したことを示す情報を表示する表示部をさらに備えることを特徴とする通信装置。
【請求項９】
請求項８に記載の通信装置において、
前記表示部は、前記コマンドと、当該コマンドに対応する前記位置関係を示す情報と、を表示することを特徴とする通信装置。
【発明の詳細な説明】
【技術分野】
【０００１】
本発明は、近距離通信を実行する通信システム及び通信装置に関する。
【背景技術】
【０００２】
通信装置が他の通信装置からデータを受信する場合、通信装置が当該他の通信装置にコマンドを送信し、当該他の通信装置がそのコマンドに応じたデータを通信装置に送信する技術がある。この場合、ユーザは通信装置の操作部を操作することにより、通信装置から当該他の通信装置に対してコマンドを送信させている（特許文献１参照）。
【先行技術文献】
【特許文献】
【０００３】
【特許文献１】特開２００９−１３５６１０号公報
【発明の概要】
【発明が解決しようとする課題】
【０００４】
しかしながら、上記の場合、通信装置は複数のコマンドに対応するために複数の操作ボタンを備える必要があった。
【０００５】
本発明は、前記の点に鑑みてなされたものであり、複数のコマンドに対応するために複数の操作ボタンを備えなくても、それぞれのコマンドに応じて他の通信装置から送信されたデータを受信することが可能な通信装置を提供することを目的とする。
【課題を解決するための手段】
【０００６】
本発明は、上記の課題を解決するためになされたものであり、コマンドの受信が可能な近距離通信部と、前記近距離通信部を介して受信した前記コマンドに応じた処理を実行する処理部とを備えた第１の通信装置と、前記コマンドの送信が可能な近距離通信部と、前記第１の通信装置との近距離通信の確立後に、前記第１の通信装置との位置関係に応じた前記コマンドを前記近距離通信部を介して第１の通信装置に送信する送信部とを備えた第２の通信装置と、を備えることを特徴とする通信システムである。
【０００７】
また本発明は、コマンドに応じた処理を実行する他の通信装置に対し、前記コマンドの送信が可能な近距離通信部と、前記他の通信装置との前記近距離通信の確立後に、前記他の通信装置との位置関係に応じた前記コマンドを前記近距離通信部を介して前記他の通信装置に送信する送信部とを備えることを特徴とする通信装置である。
【０００８】
また本発明は、他の通信装置と自通信装置との位置関係に応じたコマンドを前記他の通信装置から受信する近距離通信部と、前記近距離通信部により受信した前記コマンドに応じた処理を実行する処理部と、を備えることを特徴とする通信装置である。
【発明の効果】
【０００９】
本発明によれば、通信装置は、複数のコマンドに対応するために複数の操作ボタンを備えなくても、それぞれのコマンドに応じて他の通信装置から送信されたデータを受信することが可能となる。
【図面の簡単な説明】
【００１０】
【図１】本発明の第１の実施形態におけるクレードル１００と、撮像装置２００と、記録媒体３００と、外部装置４００の構成を示すブロック図である。
【図２】本発明の第１の実施形態における位置検出部１１０の外観図（上面図）の例である。
【図３】本発明の第１の実施形態におけるクレードル１００に対する撮像装置２００の位置の変化例を説明するための第１図である。
【図４】本発明の第１の実施形態におけるクレードル１００に対する撮像装置２００の位置の変化例を説明するための第２図である。
【図５】本発明の第１の実施形態におけるクレードル１００と撮像装置２００の動作を示すシーケンス図である。
【図６】本発明の第２の実施形態におけるクレードル１００と、撮像装置２００と、記録媒体３００と、外部装置４００の構成を示すブロック図である。
【図７】本発明の第２の実施形態における位置検出部１１０、発光素子１３１、及び受光素子１３２の外観図（上面図）の例である。
【図８】本発明の第２の実施形態におけるクレードル１００に対する撮像装置２００の位置の変化例を説明するための図である。
【図９】本発明の第３の実施形態における位置検出部１１０の外観図（上面図）の例である。
【図１０】本発明の第３の実施形態におけるクレードル１００に対する撮像装置２００の位置の変化例を説明するための図である。
【発明を実施するための形態】
【００１１】
[第１の実施形態]
本発明の第１の実施形態について図面を参照して詳細に説明する。図１は、本発明の第１の実施形態におけるクレードル１００と、撮像装置２００と、記録媒体３００と、外部装置４００の構成を示すブロック図である。
【００１２】
クレードル１００は、近距離通信によりコマンドを撮像装置２００に送信し、そのコマンドに応じた画像データ等を撮像装置２００から取得する。さらに、クレードル１００は、撮像装置２００から取得した画像データ等を外部装置４００に送信する。
【００１３】
撮像装置２００は、被写体（不図示）を撮像し、記録媒体３００にその画像データを記憶させる。また、撮像装置２００は、クレードル１００からコマンドを近距離通信により受信し、そのコマンドに応じて、クレードル１００に画像データ等を近距離通信により送信する。
【００１４】
記録媒体３００は、撮像装置２００から入力された画像データを記憶する。また、記録媒体３００は、記憶している画像データ等を撮像装置２００の制御に応じて出力する。なお、記録媒体３００は、撮像装置２００に着脱可能、又は撮像装置２００と一体であってもよい。
【００１５】
外部装置４００は、クレードル１００から画像データを受信する。外部装置４００は、受信した画像データを用いて、予め定められた処理を実行してもよい。例えば、外部装置４００は、表示部（不図示）を備え、取得した画像データをその表示部に表示してもよい。また例えば、外部装置４００は、印刷部（不図示）を備え、取得した画像データをその印刷部を用いて印刷してもよい。
【００１６】
次に、クレードル１００の構成を説明する。
クレードル１００は、位置検出部１１０と、制御部１６０と、送受信部１４０と、近距離通信部１３０と、インタフェース部１５０を備える。また、制御部１６０は、コマンド出力部１２０を備える。
【００１７】
位置検出部１１０は、クレードル１００に対する撮像装置２００の位置を検出する。位置検出部１１０は、クレードル１００の上面に配置される。例えば、クレードル１００の位置検出部１１０にユーザが撮像装置２００を乗せたことで、撮像装置２００と位置検出部１１０とが接触したとする。この場合、位置検出部１１０は、その接触による圧力若しくは静電容量の変化に基づいて、クレードル１００（位置検出部１１０）に対する撮像装置２００の位置（位置関係）を検出し、その検出結果に応じた位置検出信号をコマンド出力部１２０に出力する。
【００１８】
ここで、図２を用いて、位置検出部１１０の外観図（上面図）の例を説明する。
位置検出部１１０は平面形状を有し、その表面の中央付近には、近距離通信部１３０が埋設されている位置を示すマーク１１１が示される。なお、マーク１１１は、位置検出部１１０に印刷されることにより示されてもよい。また、位置検出部１１０は、例えばタッチパッドなどのタッチセンサであってもよい。
【００１９】
さらに、図３及び４には、クレードル１００に対する撮像装置２００の位置の変化例が示されている。第１の実施形態において、ユーザは、撮像装置２００を位置検出部１１０に乗せたまま、その撮像装置２００を次のように移動させるものとする。
【００２０】
ユーザが撮像装置２００を位置検出部１１０に対して右回転させた場合（図３（Ａ）参照）、位置検出部１１０は、位置検出部１１０に対する撮像装置２００の新たな位置を示す位置検出信号をコマンド出力部１２０に出力する。また、ユーザが撮像装置２００を位置検出部１１０に対して左回転させた場合（図３（Ｂ）参照）、位置検出部１１０は、位置検出部１１０に対する撮像装置２００の新たな位置を示す位置検出信号をコマンド出力部１２０に出力する。
【００２１】
また、ユーザが撮像装置２００を位置検出部１１０に対して右に移動させた場合（図４（Ａ）参照）、位置検出部１１０は、位置検出部１１０に対する撮像装置２００の新たな位置を示す位置検出信号をコマンド出力部１２０に出力する。また、ユーザが撮像装置２００を位置検出部１１０に対して左に移動させた場合（図４（Ａ）参照）、位置検出部１１０は、位置検出部１１０に対する撮像装置２００の新たな位置を示す位置検出信号をコマンド出力部１２０に出力する。
【００２２】
同様に、ユーザが撮像装置２００を位置検出部１１０に対して上に移動させた場合（図４（Ｂ）参照）、位置検出部１１０は、位置検出部１１０に対する撮像装置２００の新たな位置を示す位置検出信号をコマンド出力部１２０に出力する。また、ユーザが撮像装置２００を位置検出部１１０に対して下に移動させた場合（図４（Ｂ）参照）、位置検出部１１０は、位置検出部１１０に対する撮像装置２００の新たな位置を示す位置検出信号をコマンド出力部１２０に出力する。
【００２３】
図１に戻り、クレードル１００の構成の説明を続ける。
近距離通信部１３０は、撮像装置２００が備える後述する近距離通信部２１３と、予め定められている通信方式により通信する。この予め定められている通信方式とは、例えば、誘導電界を用いた通信方式である。このような通信方式の例として、「ＴｒａｎｓｆｅｒＪｅｔ（登録商標）」や「ＵＷＢ（Ｕｌｔｒａ Ｗｉｄｅ Ｂａｎｄ）」が挙げられる。なお、近距離通信部１３０は、例えばカプラ（誘導電界を用いたアンテナ）を備えていてもよい。
【００２４】
近距離通信部１３０は、コマンド出力部１２０から送受信部１４０を介して入力されたコマンドを、撮像装置２００に送信する。また、近距離通信部１３０は、制御部１６０から送受信部１４０を介して入力された後述する通信確立要求データを、撮像装置２００に送信する。
【００２５】
また、近距離通信部１３０は、撮像装置２００から送信された後述する応答データを受信し、送受信部１４０を介して制御部１６０に出力する。また、近距離通信部１３０は、撮像装置２００から送信された画像データを受信し、送受信部１４０を介してインタフェース部１５０に出力する。
【００２６】
近距離通信部１３０は、撮像装置２００が近距離にあるか否かを検出する。撮像装置２００が近距離にある場合に、近距離通信部１３０は、撮像装置２００がクレードル１００に近接していることを示す信号（以下、「近接信号」と称する）を、制御部１６０に送受信部１４０を介して出力する。例えば、近距離通信部１３０は、誘導電界の強弱を検出することによって、撮像装置２００が近距離にあるか否かを検出してもよい。
【００２７】
送受信部１４０は、近距離通信部１３０が出力した近接信号を取得して、制御部１６０に転送する。また、送受信部１４０は、近距離通信部１３０が撮像装置２００から受信した応答データを復調して、制御部１６０に出力する。また、送受信部１４０は、近距離通信部１３０が受信した画像データを復調したことを、制御部１６０に通知する。また、送受信部１４０は、近距離通信部１３０が受信した画像データを復調し、制御部１６０の制御に応じて、外部装置４００にインタフェース部１５０を介して出力する。
【００２８】
また、送受信部１４０は、コマンド出力部１２０から入力されたコマンドを変調して、近距離通信部１３０に出力する。また、送受信部１４０は、制御部１６０から入力された後述する通信確立要求データを変調して、近距離通信部１３０に出力する。
【００２９】
制御部１６０は、送受信部１４０を制御し、近距離通信部１３０が撮像装置２００から受信した画像データを、インタフェース部１５０を介して外部装置４００に送信させる。
【００３０】
また、制御部１６０は、送受信部１４０を介して近距離通信部１３０から近接信号を取得する。制御部１６０は、近接信号を取得した場合、撮像装置２００に近距離通信の確立を要求するため、送受信部１４０及び近距離通信部１３０を介して、撮像装置２００に通信確立要求データを送信する。また、制御部１６０は、通信確立要求データの応答として撮像装置２００が送信した応答データを、近距離通信部１３０及び送受信部１４０を介して取得する。
【００３１】
コマンド出力部１２０は、近距離通信の確立後（応答データの取得後）に、位置検出信号を取得した場合には、その位置検出信号の変化に基づいて、複数のコマンドからコマンドを選択する。さらに、コマンド出力部１２０は、選択したコマンドを送受信部１４０及び近距離通信部１３０を介して撮像装置２００に出力する。ここで、位置検出信号の変化とは、上記に図３及び４を用いて説明したような、撮像装置２００のクレードル１００に対する、右回転、左回転、右移動、左移動、上移動、又は下移動を示す信号である。
【００３２】
例えば、コマンド出力部１２０は、直前の位置検出信号を記憶部（不図示）に記憶しており、位置検出信号を取得した場合には、記憶している直前の位置検出信号による位置と、取得した位置検出信号による位置との差を取り、この差に基づいて、位置検出信号の変化を検出してもよい。また、コマンド出力部１２０は、このようにして検出した位置検出信号の変化に基づいて、複数のコマンドからコマンドを上述したように選択してもよい。
【００３３】
また、クレードル１００は、位置検出信号の変化と、この位置検出信号の変化に対応するコマンドとが予め関連付けられて記憶されているコマンド記憶部（不図示）を備えていてもよい。また、コマンド出力部１２０は、取得した位置検出信号に基づく「位置検出信号の変化」と関連付けられているコマンドを、このコマンド記憶部（不図示）から取得し、複数のコマンドからコマンドを上述したように選択してもよい。
【００３４】
また、コマンド出力部１２０は、撮像装置２００が位置検出部１１０に対して右回転されたことを検出した場合、撮像装置２００にデータ転送を開始（継続）させるためのコマンドである「データ転送開始（継続）コマンド」を、コマンド一覧から選択してもよい。
【００３５】
インタフェース部１５０は、送受信部１４０から入力された画像データを、制御部１６０の制御に応じて外部装置４００に送信する。なお、インタフェース部１５０は、外部装置４００から各種データを受信してもよい。
【００３６】
次に、撮像装置２００の構成を説明する。
撮像装置２００は、光学系２０４と、撮像素子２０５と、ＡＤ変換器２０６と、メモリ２０８と、操作部２０１と、処理部２０３と、バッファメモリ２０７と、画像処理部２０９と、インタフェース部２１０と、近距離通信部２１３と、サブＣＰＵ（Ｃｅｎｔｒａｌ Ｐｒｏｃｅｓｓｉｎｇ Ｕｎｉｔ）２１４と、表示部２１２を備える。
【００３７】
光学系２０４は、被写体からの入射光を透過させ、撮像素子２０５の撮像面に被写体の光学像を結像させる。なお、光学系２０４は、例えばレンズとレンズ駆動モータとを備え、撮像装置２００に着脱可能であってもよい。
【００３８】
撮像素子２０５は、光学系２０４を透過した入射光を受光して、その受光量に応じた電気信号（アナログ）を出力する。
【００３９】
ＡＤ変換部２０６は、受光量に応じた電気信号（アナログ）を撮像素子２０５から取得し、画像データ（デジタル）にアナログデジタル変換して、バッファメモリ２０７に記憶させる。
【００４０】
バッファメモリ２０７は、ＡＤ変換部２０６が出力した画像データを一時的に記憶する記憶部であり、画像処理部２０９の制御に応じて画像データを画像処理部２０９に出力する。
【００４１】
操作部２０１は、ユーザの操作入力を検出し、その操作入力に応じた信号を処理部２０３に出力する。以下において、操作部２０１は、シャッタボタンを備えているものとする。
【００４２】
メモリ２０８は、撮像条件や画像処理条件等の各パラメータを記憶し、処理部２０３の制御に応じてパラメータを処理部２０３又は画像処理部２０に出力する。
【００４３】
近距離通信部２１３は、クレードル１００の近距離通信部１３０から通信確立要求データを受信して復調し、処理部２０３に出力する。また、近距離通信部２１３は、処理部２０３から入力された応答データを変調し、近距離通信部１３０に送信する。
【００４４】
また、近距離通信部２１３は、近距離通信部１３０から送信されたコマンドを受信して復調し、処理部２０３に出力する。また、近距離通信部２１３は、処理部２０３から転送された画像データを変調し、近距離通信部１３０に送信する。また、近距離通信部２１３は、クレードル１００が近距離にあることを近距離通信部２１３が検出し、クレードル１００が近距離にあることをサブＣＰＵ２１４及び処理部２０３に通知する。なお、近距離通信部２１３は、カプラを備えていてもよい。
【００４５】
サブＣＰＵ２１４は、クレードル１００が近距離にあることを近距離通信部２１３から通知された場合、処理部２０３に電源が供給されているか否かを判定する。処理部２０３に電源が供給されていない場合、サブＣＰＵ２１４は、処理部２０３の電源を供給し、クレードル１００が近距離にあることを処理部２０３に改めて通知する。
【００４６】
処理部２０３は、シャッタボタンが操作されたことを示す信号を操作部２０１から取得した場合、バッファメモリ２０７に記憶された画像データを画像処理するよう画像処理部２０９を制御する。
【００４７】
また、処理部２０３は、近距離通信部２１３を介してクレードル１００から取得したコマンドに応じて、各種の処理を実行する。例えば、「データ転送開始（継続）コマンド」を取得した場合、処理部２０３は、記録媒体３００に記録された画像データを、インタフェース部２１０を介して取得し、近距離通信部２１３を介してクレードル１００に送信する。
【００４８】
また、処理部２０３は、近距離通信部２１３を介して、クレードル１００から通信確立要求データを取得する。処理部２０３は、通信確立要求データを取得した場合、表示部２１２を制御し、近距離通信が確立したことを示す情報を、表示部２１２に表示させる。ここで、近距離通信が確立したことを示す情報とは、例えば「近距離通信が確立したことを示すアイコン」等であってもよい。さらに、処理部２０３は、近距離通信が確立したことを示す情報として、応答データをクレードル１００に近距離通信部２１３を介して送信する。
【００４９】
画像処理部２０９は、処理部２０３の制御に応じて、バッファメモリ２０７に記憶されている画像データを画像処理し、インタフェース部２１０に出力する。なお、画像処理部２０９が出力する画像データは、静止画データ又は動画データのいずれであってもよい。また、画像処理部２０９は、メモリ２０８から取得した撮像条件や画像処理条件等の各パラメータに基づいて、画像処理を実行してもよい。なお、画像処理部２０９は、画像処理した画像データを表示部２１２に出力してもよい。
【００５０】
インタフェース部２１０は、処理部２０３の制御に応じて、画像処理部２０９から入力された画像データを記録媒体３００に記憶させる。また、インタフェース部２１０は、処理部２０３の制御に応じて、記録媒体３００に記憶された画像データを取得し、処理部２０３を介して近距離通信部２１３に転送する。
【００５１】
表示部２１２は、画像処理部２０９から出力された画像データを取得し、画像として表示する。また、表示部２１２は、処理部２０３の制御に応じて、近距離通信が確立したことを示す情報を上述したように表示する。これにより、撮像装置２００は、近距離通信が確立したことをユーザに通知することができる。
【００５２】
次に、図５を用いて、クレードル１００と撮像装置２００の動作を説明する。ここでは、処理部２０３への電源は、すでに供給されているものとして説明する。
クレードル１００の近距離通信部１３０は、予め決められた周波数で誘導電界を送出する（ステップＳ１）。
【００５３】
ここで、クレードル１００の近距離通信部１３０は、撮像装置２００の近距離通信部２１３が近距離にあることを検出したとする（ステップＳ２）。これにより、クレードル１００の近距離通信部１３０は、近接信号を送受信部１４０に出力する（ステップＳ３）。クレードル１００の送受信部１４０は、近距離通信部１３０が出力した近接信号を取得して、制御部１６０に転送する（ステップＳ４）。
【００５４】
次に、クレードル１００の制御部１６０は、近接信号を取得したことにより、通信確立要求データを送受信部１４０に出力する（ステップＳ５）。
【００５５】
クレードル１００の送受信部１４０は、制御部１６０から入力された通信確立要求データを変調して、近距離通信部１３０に出力する（ステップＳ６）。近距離通信部１３０は、送受信部１４０から入力された通信確立要求データを撮像装置２００の近距離通信部２１３に送信する（ステップＳ７）。
【００５６】
撮像装置２００の近距離通信部２１３は、クレードル１００の近距離通信部１３０から送信された通信確立要求データを受信して復調し、処理部２０３に出力する（ステップＳ８）。
【００５７】
撮像装置２００の処理部２０３は、通信確立要求データを取得したため、表示部２１２を制御する。これにより、表示部２１２は、近距離通信が確立したことを示す情報を表示する（ステップＳ９）。
【００５８】
さらに、撮像装置２００の処理部２０３は、近距離通信が確立したことを示す情報として、応答データを近距離通信部２１３に出力する（ステップＳ１０）。近距離通信部２１３は、応答データを変調し、クレードル１００の近距離通信部１３０に送信する（ステップＳ１１）。
【００５９】
次に、クレードル１００の近距離通信部１３０は、撮像装置２００の近距離通信部２１３から送信された応答データを受信し、送受信部１４０に出力する（ステップＳ１２）。クレードル１００の送受信部１４０は、近距離通信部１３０が受信した応答データを復調して、制御部１６０に出力する（ステップＳ１３）。これにより、クレードル１００の制御部１６０は、撮像装置２００との近距離通信が確立した状態であることを判定することができる。
【００６０】
ここで、撮像装置２００との近距離通信が確立した状態において、一例として、クレードル１００の位置検出部１１０に乗せられた撮像装置２００をユーザが右回転させたとする。これにより、クレードル１００の位置検出部１１０は、クレードル１００に対する撮像装置２００の位置を検出し、右回転されたことにより変化する位置検出信号をコマンド出力部１２０に出力する（ステップＳ１４）。なお、クレードル１００の位置検出部１１０は、コマンド出力部１２０が応答データを受信するより前に、位置検出信号をコマンド出力部１２０に出力してもよい。
【００６１】
クレードル１００のコマンド出力部１２０は、位置検出信号に基づいて、位置検出信号の変化を検出する。さらに、コマンド出力部１２０は、位置検出信号の変化に基づいて、右回転に対応する「データ転送開始（継続）コマンド」を選択して、送受信部１４０に出力する（ステップＳ１５）。
【００６２】
クレードル１００の送受信部１４０は、コマンド出力部１２０から入力された「データ転送開始（継続）コマンド」を変調して、近距離通信部１３０に出力する（ステップＳ１６）。近距離通信部１３０は、コマンド出力部１２０から送受信部１４０を介して入力された「データ転送開始（継続）コマンド」を撮像装置２００の近距離通信部２１３に送信する（ステップＳ１７）。
【００６３】
撮像装置２００の近距離通信部２１３は、クレードル１００の近距離通信部１３０から送信された「データ転送開始（継続）コマンド」を受信して復調し、処理部２０３に出力する（ステップＳ１８）。
【００６４】
撮像装置２００の処理部２０３は、近距離通信部２１３を介して取得した「データ転送開始（継続）コマンド」に応じた処理を実行する。この場合、データ転送開始（継続）コマンドを取得したため、撮像装置２００の処理部２０３は、インタフェース部２１０に記録媒体３００に記録された画像データを取得するよう、インタフェース部２１０を制御する（ステップＳ１９）。
【００６５】
撮像装置２００の記録媒体３００は、インタフェース部２１０を介して、記録された画像データを出力するよう処理部２０３から制御される（ステップＳ２０）。記録媒体３００は、処理部２０３の制御に応じて、記録媒体３００に記憶された画像データを出力する（ステップＳ２１）。処理部２０３は、インタフェース部２１０を介して、記録媒体３００から出力された画像データを取得し、近距離通信部２１３に転送する（ステップＳ２２）。近距離通信部２１３は、処理部２０３から入力された画像データを変調し、近距離通信部２１３に出力する（ステップＳ２３）。近距離通信部２１３は、クレードル１００の近距離通信部１３０に画像データを送信する（ステップＳ２４）。
【００６６】
クレードル１００の近距離通信部１３０は、撮像装置２００の近距離通信部２１３から送信された画像データを受信し、送受信部１４０に出力する（ステップＳ２５）。クレードル１００の送受信部１４０は、近距離通信部１３０が受信した画像データを復調したことを、制御部１６０に通知する（ステップＳ２６）。
【００６７】
これにより、制御部１６０は、近距離通信部１３０が受信した画像データをインタフェース部１５０に送信するよう送受信部１４０を制御する（ステップＳ２７）。送受信部１４０は、制御部１６０の制御に応じて、インタフェース部１５０に画像データを出力する（ステップＳ２８）。クレードル１００のインタフェース部１５０は、送受信部１４０から入力された画像データを外部装置４００に送信する。これにより、外部装置４００は、撮像装置２００が送信した画像データを、クレードル１００を介して取得する。
【００６８】
このようにすれば、クレードル１００は、クレードル１００に対する撮像装置２００の位置（位置関係）の変化に応じてコマンドを送信するので、複数のコマンドに対応するために複数の操作ボタンを備えなくても、それぞれのコマンドに応じて撮像装置２００から送信されたデータを受信することが可能となる。また、クレードル１００は、ユーザに煩わしい操作を行わせることなく、コマンドに応じて撮像装置２００から送信されたデータを受信することが可能となる。また、クレードル１００は、近距離通信を用いるので、コマンドに応じて撮像装置２００から送信されたデータを、通信ケーブルを用いずに受信することが可能となる。
【００６９】
なお、ステップＳ５〜Ｓ１３は、省略されてもよい。
【００７０】
[第２の実施形態]
本発明の第２の実施形態について図面を参照して詳細に説明する。第２の実施形態において、コマンド出力部１２０は、クレードル１００に対する撮像装置２００の位置を、発光素子及び受光素子を用いて検出する点のみが、第１の実施形態と異なる。以下、第１の実施形態との相違点のみ説明する。
【００７１】
図６には、クレードル１００と、撮像装置２００と、記録媒体３００と、外部装置４００の構成を示すブロック図が示されている。クレードル１００は、発光素子１３１と、受光素子１３２をさらに備える。
【００７２】
位置検出部１１０、発光素子１３１、及び受光素子１３２の外観図（上面図）の例を、図７を用いて説明する。クレードル１００の位置検出部１１０の表面には、一例として、近距離通信部１３０の左に、発光素子１３１ａ及び受光素子１３２ａと、近距離通信部１３０の右に、発光素子１３１ｂ及び受光素子１３２ｂとが、それぞれ配置されるものとする。
【００７３】
発光素子１３１ａは、クレードル１００の上面から撮像装置２００に光を投射する。撮像装置２００が、発光素子１３１ａの近傍にある場合、発光素子１３１ａから撮像装置２００に投射された光は、撮像装置２００から反射されて、受光素子１３２ａに受光される。受光素子１３２ａは、受光した光に応じた信号を出力する。
【００７４】
すなわち、撮像装置２００が発光素子１３１ａの近傍にある場合、受光素子１３２ａは、撮像装置２００から反射された光を受光して、撮像装置２００が発光素子１３１ａの近傍にあることを示す信号を、コマンド出力部１２０に出力する。一方、撮像装置２００が発光素子１３１ａの近傍にない場合、受光素子１３２ａは、撮像装置２００から反射された光を受光しないので、撮像装置２００が発光素子１３１ａの近傍にあることを示す信号を出力しない。
【００７５】
同様に、発光素子１３１ｂは、位置検出部１１０の表面から光を投射する。撮像装置２００が発光素子１３１ｂの近傍にある場合、受光素子１３２ｂは、撮像装置２００から反射された光を受光して、撮像装置２００が発光素子１３１ｂの近傍にあることを示す信号を、コマンド出力部１２０に出力する。一方、撮像装置２００が発光素子１３１ｂの近傍にない場合、受光素子１３２ｂは、撮像装置２００から反射された光を受光しないので、撮像装置２００が発光素子１３１ｂの近傍にあることを示す信号を出力しない。
【００７６】
コマンド出力部１２０は、発光素子１３１ａ及び１３１ｂからそれぞれ信号が出力されているか否か基づいて、クレードル１００に対する撮像装置２００の位置の変化を検出する。
【００７７】
図８を用いて、クレードル１００に対する撮像装置２００の位置の変化例を説明する。図８（Ａ）において、撮像装置２００が発光素子１３１ａの近傍にあるため、受光素子１３２ａは、撮像装置２００から反射された光を受光して、撮像装置２００が発光素子１３１ａの近傍にあることを示す信号を出力する。同様に、撮像装置２００が発光素子１３１ｂの近傍にあるため、受光素子１３２ｂは、撮像装置２００から反射された光を受光して、撮像装置２００が発光素子１３１ｂの近傍にあることを示す信号を出力する。
【００７８】
次に、ユーザが撮像装置２００を例えば右に移動させたとする。図８（Ｂ）において、撮像装置２００が発光素子１３１ａの近傍にないため、受光素子１３２ａは、撮像装置２００から反射された光を受光せず、撮像装置２００が発光素子１３１ａの近傍にあることを示す信号を出力しない。一方、撮像装置２００が発光素子１３１ｂの近傍にあるため、受光素子１３２ｂは、撮像装置２００から反射された光を受光して、撮像装置２００が発光素子１３１ｂの近傍にあることを示す信号を出力する。
【００７９】
発光素子１３１ａから信号が出力されず、かつ発光素子１３１ａから信号が出力されるため、コマンド出力部１２０は、撮像装置２００が右に移動されて位置関係が変化したことを検出する。一方、撮像装置２００が左に移動された場合、コマンド出力部１２０は、撮像装置２００が左に移動されて位置関係が変化したことを同様に検出する。
【００８０】
なお、さらに多くの発光素子１３１及び受光素子１３２を配置することにより、コマンド出力部１２０は、クレードル１００に対して左回転又は右回転された撮像装置２００の位置の変化を検出してもよい。また、発光素子１３１及び受光素子１３２は、位置検出部１１０と一体であってもよい。
【００８１】
このようにすれば、クレードル１００は、クレードル１００と撮像装置２００を接触させなくても、コマンドに応じて撮像装置２００から送信されたデータを受信することが可能となる。
【００８２】
また、クレードル１００は、複数のコマンドに対応するために複数の操作ボタンを備えなくても、それぞれのコマンドに応じて撮像装置２００から送信されたデータを受信することが可能となる。また、クレードル１００は、ユーザに煩わしい操作を行わせることなく、コマンドに応じて撮像装置２００から送信されたデータを受信することが可能となる。また、クレードル１００は、コマンドに応じて撮像装置２００から送信されたデータを、通信ケーブルを用いずに受信することが可能となる。
【００８３】
[第３の実施形態]
本発明の第３の実施形態について図面を参照して詳細に説明する。第３の実施形態において、コマンド出力部１２０は、クレードル１００に対する撮像装置２００の位置を、発光素子及び受光素子を用いずに検出する点のみが、第２の実施形態と異なる。以下、第２の実施形態との相違点のみ説明する。
【００８４】
図９には、位置検出部１１０の外観図（上面図）の例が示されている。位置検出部１１０の上面には、マーク１１１ａ〜１１ｃが並んで示され、マーク１１１ａの位置に近距離通信部１３０ａと、マーク１１１ｂの位置に近距離通信部１３０ｂと、マーク１１１ｃの位置に近距離通信部１３０ｃがそれぞれ埋設されている。
【００８５】
以下、一例として、近距離通信部１３０は、誘導電界の強弱によって撮像装置２００が近距離にあるか否かを検出するものとする。ここで、近距離通信部１３０ａ〜１３０ｃのいずれか１つのみが、撮像装置２００の近距離通信部２１３とデータを送受信するものとし、残りの近距離通信部は、受信のみ実行するものとする。このようにすれば、近距離通信部１３０ａ〜１３０ｃの誘導電界が干渉することを防ぐことができるからである。
【００８６】
次に、図１０を用いて、クレードル１００に対する撮像装置２００の位置の変化例を説明する。ここで、撮像装置２００の近距離通信部２１３は、撮像装置２００の底面中央に配置されているものとする。このため、図１０（Ａ）において、近距離通信部１３０ａ〜１３０ｃのうち誘導電界が最も強い近距離通信部は、撮像装置２００の近距離通信部２１３に最も近い、マーク１１１ｂの位置に埋設されている近距離通信部１３０ｂ（図１０に不図示）となる。一方、近距離通信部２１３からの距離がそれぞれ等しい近距離通信部１３０ａ及び１３０ｃ（図１０（Ａ）に不図示）の誘導電界は、互いに同じ強度となる。
【００８７】
次に、ユーザが撮像装置２００を例えば右に移動させたとする。これにより、図１０（Ｂ）において、近距離通信部１３０ａ〜１３０ｃのうち誘導電界が最も強い近距離通信部は、撮像装置２００の近距離通信部２１３に最も近い、マーク１１１ｃの位置に埋設されている近距離通信部１３０ｃ（図１０に不図示）となる。一方、近距離通信部２１３からの距離が最も遠い近距離通信部１３０ａの誘導電界は、最も弱い強度となる。
【００８８】
近距離通信部１３０ｃの誘導電界が最も強い強度を示し、かつ近距離通信部１３０ａの誘導電界が最も弱い強度を示すため、コマンド出力部１２０は、撮像装置２００が右に移動されて位置関係が変化したことを検出する。一方、撮像装置２００が左に移動された場合、コマンド出力部１２０は、撮像装置２００が左に移動されて位置関係が変化したことを同様に検出する。
【００８９】
なお、さらに多くの近距離通信部１３０を配置することにより、コマンド出力部１２０は、クレードル１００に対して左回転又は右回転された撮像装置２００の位置の変化を検出してもよい。また、撮像装置２００に対して送受信する近距離通信部は、誘導電界の強度に応じて、近距離通信部１３０ａ〜１３０ｃのうちから切り替えられてもよい。
【００９０】
このようにすれば、クレードル１００は、クレードル１００と撮像装置２００を接触させなくても、コマンドに応じて撮像装置２００から送信されたデータを受信することが可能となる。
【００９１】
また、クレードル１００は、複数のコマンドに対応するために複数の操作ボタンを備えなくても、それぞれのコマンドに応じて撮像装置２００から送信されたデータを受信することが可能となる。また、クレードル１００は、ユーザに煩わしい操作を行わせることなく、コマンドに応じて撮像装置２００から送信されたデータを受信することが可能となる。また、クレードル１００は、コマンドに応じて撮像装置２００から送信されたデータを、通信ケーブルを用いずに受信することが可能となる。
【００９２】
以上、この発明の実施形態について図面を参照して詳述してきたが、具体的な構成はこの実施形態に限られるものではなく、この発明の要旨を逸脱しない範囲の設計等も含まれる。
【００９３】
例えば、上記においては、クレードル１００が、クレードル１００に対する撮像装置２００の位置を検出し、さらに、位置検出信号の変化に基づいて選択したコマンドを撮像装置２００に送信していた。
【００９４】
これを例えば、クレードル１００は、コマンドの代わりに、位置検出信号を撮像装置２００に送信するようにしてもよい。この場合、撮像装置２００が、クレードル１００から受信した位置検出信号に基づいて、位置検出信号の変化に対応するコマンドを選択するようにしてもよい。
【００９５】
また例えば、クレードル１００は、コマンド及び位置検出信号を送信しなくてもよい。この場合、撮像装置２００が、クレードル１００に対する撮像装置２００の位置を検出し、検出した位置を示す位置検出信号の変化に基づいて、コマンドを選択するようにしてもよい。この場合、複数のコマンドデータと、位置検出信号の変化に対応するコマンドとが予め関連付けられたデータは、例えば通信確立要求データと共に、クレードル１００から撮像装置２００に送信され、撮像装置２００によるコマンド選択や操作ガイド表示に用いられてもよい。
【００９６】
また例えば、クレードル１００は位置検出信号を送信しなくてもよい。この場合、撮像装置２００が、クレードル１００に対する撮像装置２００の位置を検出し、検出した位置を示す位置検出信号をクレードル１００に送信するようにしてもよい。さらに、クレードル１００は、撮像装置２００から受信した位置検出信号の変化に基づいて、コマンドを選択するようにしてもよい。
【００９７】
また例えば、撮像装置２００は、クレードル１００に対する撮像装置２００の位置の変化（例えば、右回転等）を検出し、位置の変化を示す位置変化検出信号をクレードル１００に送信するようにしてもよい。この場合、撮像装置２００は、位置変化検出信号として「加速度又は角速度に応じた信号」を出力するセンサ（不図示）を備えていてもよい。また、これらのセンサは、加速度センサ又はジャイロセンサであってもよい。また、クレードル１００は、撮像装置２００から受信した位置変化検出信号の変化に基づいて、コマンドを選択するようにしてもよい。なお、撮像装置２００は、時間積分することで、位置変化検出信号を位置検出信号としてクレードル１００に送信してもよい。
【００９８】
また例えば、コマンド出力部１２０は、近距離通信が確立してから「予め定められた待ち時間」が経過した後に、コマンドを出力するようにしてもよい。
【００９９】
また例えば、撮像装置２００には、クレードル１００との接地を検出する検出端子が設けられてもよい。この場合、撮像装置２００は、検出端子によってクレードル１００との接触を検出した後に、クレードル１００との通信を開始するようにしてもよい。
【０１００】
また例えば、位置検出部１１０は、撮像装置２００と自位置検出部との接触による押し込み量（位置検出部１１０の変位量）を検出してもよい。この場合、押し込み量に対応付けられたコマンドが、選択されてもよい。
【０１０１】
また例えば、位置検出部１１０は、例えばタッチパネルであってもよい。この場合、制御部１６０は、位置検出部１１０のタッチパネルに、コマンド一覧と、各コマンドに対応する「クレードル１００に対する撮像装置２００の位置の変化」を示す図（例えば、図３及び４）を、操作ガイドとして表示させてもよい。
【０１０２】
また例えば、コマンド出力部１２０は、位置検出部１１０に対して撮像装置２００が静止している位置に基づいて、送受信部１４０にコマンドを出力してもよい。
【０１０３】
また例えば、インタフェース部２１０は、音声処理部（不図示）から音データを取得し、記録媒体３００に記憶させてもよい。
【０１０４】
また例えば、処理部２０３は、取得したコマンドに基づいて、記録媒体３００に記録された複数の画像データのうち、近距離通信部２１３に転送する画像データを選択してもよい。
【０１０５】
また例えば、撮像装置２００を左回転させると、撮像装置２００にデータ転送（送信）を中止させるための「データ転送中止コマンド」が、撮像装置２００を右移動させると、撮像装置２００に別データを転送（送信）させるための「別データ転送指示コマンド」が、クレードル１００から撮像装置２００にそれぞれ送信されてもよい。
【０１０６】
また例えば、クレードル１００は、撮像部（不図示）及び画像処理部（不図示）を備えてもよい。この場合、クレードル１００は、撮像部（不図示）が撮像した撮像装置２００を画像処理部（不図示）が画像処理することで、撮像装置２００がクレードル１００の近距離にあるか否かを判定してもよい。
【０１０７】
また例えば、クレードル１００の制御部１６０は、近接信号を取得した場合、コマンド一覧データと、各コマンドに対応する「クレードル１００に対する撮像装置２００の位置の変化」を示すデータを、撮像装置２００に出力してもよい。このようにすれば、撮像装置２００の表示部２１２に、コマンド一覧と、各コマンドに対応する「クレードル１００に対する撮像装置２００の位置の変化」を示す図（例えば、図３及び４）を、操作ガイドとして表示させることが可能となる。なお、これらのデータは、クレードル１００から送信されなくても、撮像装置２００のメモリ２０８等に記憶されていてもよい。
【符号の説明】
【０１０８】
１００…クレードル  １１０…位置検出部  １２０…コマンド出力部  １３０…近距離通信部  １４０…送受信部  ２００…撮像装置  ２０３…処理部  ２１２…表示部  ２１３…近距離通信部
【図１】
2011044856.tif 000003
【図２】
2011044856.tif 000004
【図３】
2011044856.tif 000005
【図４】
2011044856.tif 000006
【図５】
2011044856.tif 000007
【図６】
2011044856.tif 000008
【図７】
2011044856.tif 000009
【図８】
2011044856.tif 000010
【図９】
2011044856.tif 000011
【図１０】
2011044856.tif 000012